(57)【特許請求の範囲】
【請求項１】
外筒である錠固定手段を有する筒状の錠本体１と、内筒である挿入された鍵の凹凸と錠固定手段とが整合した際に、解錠されて錠本体内にて回動する前記鍵を挿入し得る鍵孔８を有する回転体２とからなる既存の錠において、前記錠本体１に対して、前面から内筒である回転体２を差し込み、この回転体２の前面に表示板３と、該表示板３の上下に対向して有するカム１３間に形成された溝部１１に挿入して設けられた回転板７からなる開閉表示機構Ａを配設し、前記表示板３は、回転板７の表示部１０が挿入できる溝部１１を形成するように上下に対向する突出部１２を有するカム１３を一体的に形成し、上の突出部１２を有するカム１３には表示窓５が形成され、下の突出部１２を有するカム１３には、この表示窓５に対応する位置に閉または開を表示する表示部６を設け、さらに、前記表示板３の上下に対向して有するカム１３間に形成した溝部１１に挿入してなる円弧状の回転板７には、開または閉の表示を施した表示部１０を設け、前記表示板３のカム１３の突出部１２により回動できるように円弧状の回転板７の一端部に基板１５に回転自在に取り付ける軸孔１６を介してカムフォロア１４が設けられ、鍵の操作で表示板３の開閉の表示部を開、閉するように回転板７を表示板３のカム１３と、回転板７のカムフォロア１４で動作できるように、前記内筒である回転体２の前面には、透明プラスチックからなる開閉表示機構Ａをカバー４によって取り付けられ、前記開閉表示機構Ａは、表示窓５に対応するように、開あるいは閉の表示を持ったカム１３を有する表示板３と回転板７を重合させるように設け、錠の回転により、開あるいは閉の表示を持った回転板７が、外方に逃避回動するように形成したことを特徴とする開閉表示機構付錠。
【請求項２】
既存の９０度回転錠において、回転規制用のストッパと衝突して回転を規制する錠の正逆９０度回転によって、開あるいは閉の表示を持ったカムを有する回転板７の逃避回動により開閉表示を行うようにしたことを特徴とする請求項１記載の開閉表示機構付錠。
【請求項３】
既存の１８０度回転錠において、回転規制用のストッパと衝突して回転を規制する錠の正逆１８０度回転によって、開あるいは閉の表示を持ったカムを有する回転板７の逃避回動により開閉表示を行うようにしたことを特徴とする請求項１記載の開閉表示機構付錠。
【発明の詳細な説明】
【０００１】
【発明の属する技術分野】
本発明は、机やキャビネット、収納庫等の家具や建物の扉に広く使用することができる鍵の掛け忘れを視覚で確認できるよう表示部を大きくした開閉表示機構付錠に関するものである。
【０００２】
【従来の技術】
従来の技術としては、内側に向けて付勢された錠固定手段を有する筒状の錠本体と、挿入された鍵の凹凸と錠固定手段とが整合した際に解錠されて錠本体内にて回動する前記鍵を挿入し得る鍵孔を有する回転体と、前記回転体の鍵孔近傍で、かつ回転体が施錠状態で停止する施錠位置と解錠状態で停止する解錠位置とに対応して設けられるそれぞれの極性の異なる永久磁石と、前記錠本体の正面に可視可能に配置され前記永久磁石の極性に応じて反転して施錠と解錠とに対応する表示を行う永久磁石に対応する磁性を有する表示手段とを具備した錠（特開平７−２５９３９８号公報参照）が存在している。
【０００３】
また、本願出願人の先願である外筒である錠固定手段を有する筒状の錠本体と、内筒である挿入された鍵の凹凸と錠固定手段とが整合した際に、解錠されて錠本体内にて回動する前記鍵を挿入し得る鍵孔を有する回転体とからなる既存の錠において、前記内筒である回転体には、錠本体と係合する鍔部の一部に切り欠いた表示窓を設け、錠本体には、回転体の鍔部の一部を切り欠いた表示窓の部分に対応するように、一端部に回転体の鍔部と係合する部分に開、閉を判別できる表示部を設け、この表示窓の表示部との関連を、回転体の鍔部の裏面の表示窓と反対側に回転規制用の内筒ストッパを形成し、錠本体のインロー部に回転体の内筒ストッパと衝突するようにして回転を規制する外筒ストッパが形成された開閉表示機構付錠（特願平８−２９７４２３号を参照）が存在している。
【０００４】
【発明が解決しようとする課題】
前記で示された従来技術は、表示手段を小型化するために、構造が特別なもので、しかも、極性の異なる永久磁石と、錠本体の正面に可視可能に配置され、前記永久磁石の極性に応じて反転して施錠と解錠とに対応する表示を行う永久磁石に対応する磁性を有する表示手段を具備したものが開示されている。
【０００５】
また、既存の従来公知の錠である、外筒である錠固定手段を有する筒状の錠本体と、内筒である挿入された鍵の凹凸と錠固定手段とが整合した際に、解錠されて錠本体内にて回動する前記鍵を挿入し得る鍵孔を有する回転体とからなる既存の錠の回転体の鍔部を一部切り欠き、この回転体の鍔部の一部切り欠いた表示窓の部分と対応するように錠本体に開・閉を判別できる表示部を設けた開閉表示機構付錠が開示されている。
【０００６】
しかしながら、上記従来技術においては、全く新規に錠の各部材を製作し、しかも、表示手段として永久磁石を採用しなければならなく、製作も困難であり、高価な錠になってしまうという問題があった。
【０００７】
また、出願人が既に出願した先願の開閉表示機構付錠は、表示部分（面積）が小さくて遠くから見ると良くわからないという問題があった。
【０００８】
本発明は、このような事情に鑑み、前記従来技術の欠点を解消し、簡単な構成により、既存の従来公知の錠に採用するもので、外筒である錠固定手段を有する筒状の錠本体と、内筒である挿入された鍵の凹凸と錠固定手段とが整合した際に、解錠されて錠本体内にて回動する前記鍵を挿入し得る鍵孔を有する回転体とからなる既存の錠の、前記内筒である回転体の前面には、透明プラスチックからなる開閉表示機構をカバーによって取り付けられ、前記開閉表示機構は、表示窓に対応するように、開あるいは閉の表示を持ったカムを有する表示板と回転板を重合させるように設け、錠の回転により、開あるいは閉の表示を持った回転板が、外方に逃避回動するように形成した開閉表示機構付錠を提供することを目的とするものである。
【０００９】
【課題を解決するための手段】
本発明は、前記課題の解決を図ったもので、次のような技術手段を採用した。請求項１記載の発明においては、外筒である錠固定手段を有する筒状の錠本体と、内筒である挿入された鍵の凹凸と錠固定手段とが整合した際に、解錠されて錠本体内にて回動する前記鍵を挿入し得る鍵孔を有する回転体とからなる既存の錠において、前記錠本体に対して、前面から内筒である回転体を差し込み、この回転体２の前面に表示板と、該表示板の上下に対向して有するカム間に形成された溝部に挿入して設けられた回転板からなる開閉表示機構を配設し、前記表示板は、回転板の表示部が挿入できる溝部を形成するように上下に対向する突出部を有するカムを一体的に形成し、上の突出部を有するカムには表示窓が形成され、下の突出部を有するカムには、この表示窓に対応する位置に閉または開を表示する表示部を設け、さらに、前記表示板の上下に対向して有するカム間に形成した溝部に挿入してなる円弧状の回転板には、開または閉の表示を施した表示部を設け、前記表示板のカムの突出部により回動できるように円弧状の回転板の一端部に基板に回転自在に取り付ける軸孔を介してカムフォロアが設けられ、鍵の操作で表示板の開閉の表示部を開、閉するように回転板を表示板のカムと、回転板のカムフォロアで動作できるように、前記内筒である回転体の前面には、透明なプラスチックからなる開閉表示機構をカバーによって取り付けられ、前記開閉表示機構は、表示窓に対応するように、開あるいは閉の表示を持ったカムを有する表示板と回転板を重合させるように設け、錠の回転により、開あるいは閉の表示を持った回転板が、外方に逃避回動するように形成するという技術手段を採用した。
【００１０】
請求項２記載の発明においては、請求項１に記載の発明に加えて、既存の９０度回転錠において、回転規制用のストッパと衝突して回転を規制する錠の正逆９０度回転によって、開あるいは閉の表示を持ったカムを有する回転板の逃避回動により開閉表示を行うという技術手段を採用した。
【００１１】
請求項３記載の発明においては、請求項１に記載の発明に加えて、既存の１８０度回転錠において、回転規制用のストッパと衝突して回転を規制する錠の正逆１８０度回転によって、開あるいは閉の表示を持ったカムを有する回転板の逃避回動により開閉表示を行うという技術手段を採用した。
【００１２】
【発明の実施の形態】
本発明は、既存の外筒である錠本体に正面から内筒である回転体を差し込むタイプの錠を採用し、表示部をできるだけ大きく取るために、開及び閉の表示部を備えたカムを有する表示板と表示部を有する円弧状の回転板を重合させ、このカムを鍵の回動によって、開あるいは閉のどちらか一方の表示を備えたカムを有する回転板が外側に回動逃避して表示窓に位置する表示が変換されるようにした開閉表示機構で、錠の大きさの約２／３の範囲が表示部にできるものである。
なお、開閉表示としては、例えば青色と赤色の表示部が設けられている。
【００１３】
【実施例】
以下、本発明の一実施例を添付図面で詳細に説明する。
先ず、図１に基づいて、具体的な一実施例として各部材を分解して斜視図で示した錠については簡単に説明する。
【００１４】
外筒である錠本体１と、該錠本体１に対して、必ず前面から内筒である回転体２を差し込む。この回転体２の後部にはボス部が出ており、ワッシャとデッドボルトを挟んでボス部を潰しカシメたものである。この他、錠本体１に差し込んだ回転体２の抜け止め手段としては、図示してないが回転体２の後部にネジが設けられており、ワッシャを介して、ナットで締め付けるもの。
【００１５】
あるいは、錠本体１の内部後方に溝が形成されており、該溝に回転体２の後部にスプリングを介して止め輪が取り付けられており、止め輪を引っ込ませて挿入して定位置（溝部）で飛び出て溝に引っかかるもの等がある。
【００１６】
外筒である錠本体１に対して、前面から内筒である回転体２を差し込み、この回転体２の前面に透明プラスチックからなる表示板３と回転板７を配設し、この表示板３と回転板７からなる開閉表示機構Ａを回転体２の前面に金属または合成樹脂からなるカバー４で取り付けたものである。
【００１７】
本発明の具体的な一実施例を図２〜図１０に基づいて詳細に説明する。
先ず、カム形状をした表示板３について説明する。
図２〜図４からも理解できるように、内筒である回転体２の前面に表示板３と、後述する回転板７を備えた開閉表示機構Ａをカバー４によって取り付けるものである。
【００１８】
この表示板３は、透明プラスチックから形成したもので、回転板の表示部１０が挿入できる溝部１１を形成するように上下に対向するように突出部１２を有するカム１３を一体的に形成したものである。
【００１９】
また、上の突出部１２を有するカム１３には表示窓５が形成され、下の突出部１２を有するカム１３にはこの表示窓５に対応する位置に閉または開の表示に相当する、赤色または青色の色彩等の表示がされている。
しかも、この表示板３は鍵の回動により同時に一緒に回転するものである。
【００２０】
次に、図５、図６からも理解できるように、回転板７について詳細に説明する。
透明または不透明なプラスチックで形成した円弧状の回転板７であり、この回転板７には開または閉の表示に相当する青色または赤色の色彩を施した回転板の表示部１０を設け、前記表示板３のカム１３の突出部１２により回動できるようにカムフォロア１４が設けられたものである。
なお、円弧状の回転板７の一端部に基板１５に回転自在に取り付ける軸孔１６を設けてある。
【００２１】
以上説明した表示板３と回転板７を組み合わせて開閉表示機構Ａを形成したものである。
外筒である錠本体１の前面を基板１５として、その基板１５の外周部に回転板７を回動自在に軸着し、この回転板７の回転板の表示部１０が表示板３の溝部１１内で摺動できるように取り付けるものである。
なお、この表示部６，１０は、色彩を施すだけでなく、色付きの別個の表示部を形成しても同一の作用、効果を奏するものである。
【００２２】
さらに、図７、図８に示すように、９０度回転錠においては、図７の状態は鍵を鍵孔８に挿入して水平にした場合で、例えば開錠の状態である。したがって、この状態を閉錠の状態にすることも可能である。
これは、表示板３のカム１３の突出部１２が回転板７のカムフォロア１４を押して外側に押しやり、この作用により軸孔１６を介して回動させ、回転板の表示部１０を内側に回動して表示板３の溝部１１内を案内にして摺動し、開の表示が表示窓５から見えるようになるものである。
【００２３】
これを鍵で９０度時計方向に回転体２を回転すると、この回転体２の前面に取り付けられた開閉表示機構Ａは、図８で示すように表示板３のカム１３の突出部１２が回転板７の回転板の表示部１０を外側に押しやるようにして、表示窓５より外れるように開の回転板の表示部１０は外側に逃げ、表示板３に表示した閉の表示を表示窓５より現れるようにしたものである。
なお、９０度回転した時に停止するようにストッパ９を設けてあることはいうまでもない。
【００２４】
次に、図９、図１０に基づいて、１８０度回転錠について説明する。
図９は開の状態、図１０は閉の状態を示すものである。
【００２５】
１８０度回転錠は、前記で説明したの９０度回転錠と略同一で、唯一の違いは、１８０度回転により開と閉との表示が変換されるようにしたもので、ストッパ９も１８０度回転で停止するように設けられているものである。
その他の技術的構成は同一であるので詳細な説明は省略する。
【００２６】
【発明の効果】
本発明は、以上の構成を採用した結果、次のような効果を得ることができる。
（１）表示部分の面積を大きくできたので遠くからも良く判る。
（２）電気やマグネットを使わずにカム方式で動かすので確実で、誤動作がないものである。
（３）表示部分を半分にしても従来のものと比べて約２倍の面積になるので遠くからも良く判る。
（４）既存の錠に表示機構を設ける場合、表示部をできるだけ大きくするための手段としては、極めてシンプルで加工が簡易なので結果的にコストダウンを計ることができる。
（５）共用什器において、使う時に視覚で鍵の開閉状態が解かるので、便利である。
（６）社内における書類の管理として、鍵の開閉状態が視覚で確認できる。
【図面の簡単な説明】
【図１】  本発明の一実施例で、要旨である外筒の錠本体と内筒である回転体と表示部を分解して示す概略斜視図である。
【図２】  前記実施例における、開閉表示機構の一部である表示板の正面図である。
【図３】  前記表示板の側面図である。
【図４】  前記表示板の平面図である。
【図５】  前記実施例における開閉表示機構の一部である回転板の正面図である。
【図６】  前記回転板の側面図である。
【図７】  本発明における開閉表示機構の９０度回転錠に採用した際の開状態を示す平面図である。
【図８】  本発明における開閉表示機構の９０度回転錠に採用した際の閉状態を示す平面図である。
【図９】  本発明における開閉表示機構の１８０度回転錠に採用した際の開状態を示す平面図である。
【図１０】  本発明における開閉表示機構の１８０度回転錠に採用した際の閉状態を示す平面図である。
【符号の説明】
１・・・・錠本体                        ２・・・・回転体
３・・・・表示板                        ４・・・・カバー
５・・・・表示窓                        ６・・・・表示板の表示部
７・・・・回転板                        ８・・・・鍵孔
９・・・・ストッパ                    １０・・・・回転板の表示部
１１・・・・溝部                        １２・・・・突出部
１３・・・・カム                        １４・・・・カムフォロア
１５・・・・基板                        １６・・・・軸孔
Ａ・・・・開閉表示機構
【図１】
0003945850.tif 000002
【図２】
0003945850.tif 000003
【図３】
0003945850.tif 000004
【図４】
0003945850.tif 000005
【図５】
0003945850.tif 000006
【図６】
0003945850.tif 000007
【図７】
0003945850.tif 000008
【図８】
0003945850.tif 000009
【図９】
0003945850.tif 000010
【図１０】
0003945850.tif 000011